(57)【特許請求の範囲】
【請求項１】
レーザー光を出力するレーザー発振部と，前記レーザー発振部から出力されるレーザー光の光路上に設けられ，前記レーザー光の回折に基づく回折画像を生成する回折光学素子とを有し，前記回折画像をスクリーン上に投映する画像投映装置であって，
前記回折光学素子には，第１の回折画像を生成する第１回折格子領域と，第２の回折画像を生成する第２回折格子領域とが設けられており，
前記回折光学素子による回折画像の投映についてモード切替を行う投映モード切替部を有し，
前記投映モード切替部により切り替えられる投映モードに，
前記第１回折格子領域および前記第２回折格子領域のいずれか一方のみを用いて回折画像の投映を行う１像モードと，
前記第１回折格子領域と前記第２回折格子領域との両方を用いて回折画像の投映を行う重ね像モードとが含まれており，
前記レーザー発振部は，前記投映モード切替部による投映モードが前記重ね像モードであるときには，前記１像モードであるときよりも光量を多くするものであることを特徴とする画像投映装置。
【請求項２】
請求項１に記載の画像投映装置であって，前記投映モード切替部は，
前記回折光学素子を，前記レーザー発振部から出力されるレーザー光の光路に対して交差する面内方向に移動させることにより，モード切替を行うものであることを特徴とする画像投映装置。
【請求項３】
請求項２に記載の画像投映装置であって，
前記回折光学素子の移動により，前記第１回折格子領域を用いる第１の１像モードから，前記第２回折格子領域を用いる第２の１像モードへ移行する途中に，前記レーザー光が前記第１回折格子領域および前記第２回折格子領域の両方に跨って照射されることによって前記重ね像モードの投映を行うものであることを特徴とする画像投映装置。
【請求項４】
請求項１に記載の画像投映装置であって，
前記レーザー発振部は，レーザー光が出射する，複数の出射部を有するものであり，
前記投映モード切替部は，前記複数の出射部のうちどの出射部を用いるかを切り替えることにより，モード切替を行うものであることを特徴とする画像投映装置。
【請求項５】
請求項４に記載の画像投映装置であって，
前記複数の出射部に，出射されるレーザー光が，前記第１回折格子領域および前記第２回折格子領域の両方に跨って照射される位置に配置されているものがあり，
前記重ね像モードでは，前記複数の出射部のうち当該位置に配置されているものにより回折画像の投映を行うものであることを特徴とする画像投映装置。
【請求項６】
レーザー光を出力するレーザー発振部と，
前記レーザー発振部から出力されるレーザー光の光路上に設けられ，前記レーザー光の回折に基づく回折画像を生成する回折光学素子とを有する画像投映装置と，
ドームスクリーンとを有し，
前記画像投映装置により前記ドームスクリーンに前記回折画像を投映するプラネタリウムであって，
前記回折光学素子には，第１の回折画像を生成する第１回折格子領域と，第２の回折画像を生成する第２回折格子領域とが設けられており，
前記回折光学素子による回折画像の投映についてモード切替を行う投映モード切替部を有し，
前記投映モード切替部により切り替えられる投映モードに，
前記第１回折格子領域および前記第２回折格子領域のいずれか一方のみを用いて回折画像の投映を行う１像モードと，
前記第１回折格子領域と前記第２回折格子領域との両方を用いて回折画像の投映を行う重ね像モードとが含まれることを特徴とするプラネタリウム。
【請求項７】
請求項６に記載のプラネタリウムであって，前記投映モード切替部は，
前記回折光学素子を，前記レーザー発振部から出力されるレーザー光の光路に対して交差する面内方向に移動させることにより，モード切替を行うものであることを特徴とするプラネタリウム。
【請求項８】
請求項７に記載のプラネタリウムであって，
前記回折光学素子の移動により，前記第１回折格子領域を用いる第１の１像モードから，前記第２回折格子領域を用いる第２の１像モードへ移行する途中に，前記レーザー光が前記第１回折格子領域および前記第２回折格子領域の両方に跨って照射されることによって前記重ね像モードの投映を行うものであることを特徴とするプラネタリウム。
【請求項９】
請求項６に記載のプラネタリウムであって，
前記レーザー発振部は，レーザー光が出射する，複数の出射部を有するものであり，
前記投映モード切替部は，前記複数の出射部のうちどの出射部を用いるかを切り替えることにより，モード切替を行うものであることを特徴とするプラネタリウム。
【請求項１０】
請求項９に記載のプラネタリウムであって，
前記複数の出射部に，出射されるレーザー光が，前記第１回折格子領域および前記第２回折格子領域の両方に跨って照射される位置に配置されているものがあり，
前記重ね像モードでは，前記複数の出射部のうち当該位置に配置されているものにより回折画像の投映を行うものであることを特徴とするプラネタリウム。
【請求項１１】
請求項６から請求項１０までのいずれか１つに記載のプラネタリウムであって，前記レーザー発振部は，
前記投映モード切替部による投映モードが前記重ね像モードであるときには，前記１像モードであるときよりも光量を多くするものであることを特徴とするプラネタリウム。
【発明の詳細な説明】
【技術分野】
【０００１】
本発明は，スクリーンに対して画像を投映する画像投映装置，およびそれを用いたプラネタリウムに関する。さらに詳細には，レーザー光を用い，そのレーザー光に基づいて回折現象により画像を生成し投映する画像投映装置およびプラネタリウムに関するものである。
【背景技術】
【０００２】
従来の画像投映装置の一例として，特許文献１に記載されているものを挙げることができる。同文献の画像投映装置では，「透過原板」を用いて投映像を生成させている（同文献の［００１０］等）。そしてその透過原板を移動させることで，投映される画像を変化させるようにしている。同文献では具体的には，透過原板の移動により，星の日周運動を再現したり（［００１２］），地球上の異なる位置での星空を再現したり（［００１３］）している。
【先行技術文献】
【特許文献】
【０００３】
【特許文献１】特開２００６−３０８７８５号公報
【発明の概要】
【発明が解決しようとする課題】
【０００４】
しかしながら，前記した従来の技術には問題点があった。特許文献１の技術を応用し，透過原板内に２以上の領域を設けることで，２以上の別々の画像を切り替えて投映することができる。しかしこのようなことを実際に行おうとすると，次のような不具合があった。すなわち，画像の切り替えの途中では，中途半端な画像が投映されてしまう。中途半端な画像とは，一方の画像の右半分が投映領域中の左半分に現れ，もう一方の画像の左半分が投映領域中の右半分に現れた投映像である。これは本来意図した投映像ではないし，観覧者から見て非常に興ざめな投映像である。このような画像が投映されるのを防止するには，画像の切り替え中には一時的に光源をオフすることになる。しかしそれも観覧者から見て興ざめな演出となってしまう。
【０００５】
本発明は，前記した従来の技術が有する問題点を解決するためになされたものである。すなわちその課題とするところは，２以上の別々の画像を切り替えて投映することができるばかりでなく，画像の切り替えの途中においても個々の画像を本来の投映位置に投映できる画像投映装置およびプラネタリウムを提供することにある。
【課題を解決するための手段】
【０００６】
本発明の一態様におけるプラネタリウムは，レーザー光を出力するレーザー発振部と，レーザー発振部から出力されるレーザー光の光路上に設けられ，レーザー光の回折に基づく回折画像を生成する回折光学素子とを有する画像投映装置と，ドームスクリーンとを有し，画像投映装置によりドームスクリーンに回折画像を投映する設備であって，回折光学素子には，第１の回折画像を生成する第１回折格子領域と，第２の回折画像を生成する第２回折格子領域とが設けられており，回折光学素子による回折画像の投映についてモード切替を行う投映モード切替部を有し，投映モード切替部により切り替えられる投映モードに，第１回折格子領域および第２回折格子領域のいずれか一方のみを用いて回折画像の投映を行う１像モードと，第１回折格子領域と第２回折格子領域との両方を用いて回折画像の投映を行う重ね像モードとが含まれるものである。
【０００７】
上記態様におけるプラネタリウムでは，回折光学素子の第１回折領域のみを用いて第１の回折画像をスクリーンに投映することができる。また，第２回折領域のみを用いて第２の回折画像をスクリーンに投映することもできる。これらが１像モードである。ここで，スクリーンに投映される画像が回折画像であるため，投映する画像を切り替える途中であっても，各画像の位置は本来の投映位置のまま変わらない。このため，画像の切り替えを，観覧者に違和感を感じさせることなく自然に行うことができる。また，第１回折領域と第２回折領域との両方を用いて回折画像の投映を行う重ね像モードも容易にできる。
【０００８】
上記態様におけるプラネタリウムではさらに，投映モード切替部は，回折光学素子を，レーザー発振部から出力されるレーザー光の光路に対して交差する面内方向に移動させることにより，モード切替を行うものであることが好ましい。このような回折光学素子の移動により，投映されている回折画像を，位置の移動を伴うことなく消失させたり，あるいは，投映されていなかった回折画像を，最初から本来の位置に出現させたりすることができる。
【０００９】
このように回折光学素子の移動によりモード切替を行う場合には，回折光学素子の移動により，第１回折格子領域を用いる第１の１像モードから，第２回折格子領域を用いる第２の１像モードへ移行する途中に，レーザー光が第１回折格子領域および第２回折格子領域の両方に跨って照射されることによって重ね像モードの投映を行うことができる。こうして，１本のレーザー光で重ね像モードを実現できる。また，第１の１像モードから第２の１像モードへの移行を，途中で重ね像モードを経由しつつ自然に行うことができる。
【００１０】
上記態様におけるプラネタリウムでは，レーザー発振部を，レーザー光が出射する，複数の出射部を有するものとすることができる。この場合における投映モード切替部は，複数の出射部のうちどの出射部を用いるかを切り替えることにより，モード切替を行うものとすることができる。このような出射部の使い分けによっても，投映されている回折画像を，位置の移動を伴うことなく消失させたり，あるいは，投映されていなかった回折画像を，最初から本来の位置に出現させたりすることができる。
【００１１】
複数の出射部を有する場合にはその中に，出射されるレーザー光が，第１回折格子領域および第２回折格子領域の両方に跨って照射される位置に配置されているものがあるとよい。この場合，複数の出射部のうち当該位置に配置されているものにより回折画像の投映を行うことで重ね像モードを実行できる。
【００１２】
上記のいずれかの態様におけるプラネタリウムでは，レーザー発振部は，投映モード切替部による投映モードが重ね像モードであるときには，１像モードであるときよりも光量を多くするものであることが好ましい。このような光量制御を行うことで，重ね像モード時に，スクリーンが暗いという印象を観覧者に与えることを防止できる。ある回折画像から別の回折画像への切り替えを行うときも同様である。
【００１３】
本発明の別の一態様における画像投映装置は，レーザー発振部と，回折光学素子とを有し，回折画像をスクリーン上に投映する装置であって，回折光学素子には，第１の回折画像を生成する第１回折格子領域と，第２の回折画像を生成する第２回折格子領域とが設けられており，回折光学素子による回折画像の投映についてモード切替を行う投映モード切替部を有し，投映モード切替部により切り替えられる投映モードに，第１回折格子領域および第２回折格子領域のいずれか一方のみを用いて回折画像の投映を行う１像モードと，第１回折格子領域と第２回折格子領域との両方を用いて回折画像の投映を行う重ね像モードとが含まれており，レーザー発振部は，投映モード切替部による投映モードが重ね像モードであるときには，１像モードであるときよりも光量を多くするものである。
【発明の効果】
【００１４】
本構成によれば，２以上の別々の画像を切り替えて投映することができるばかりでなく，画像の切り替えの途中においても個々の画像を本来の投映位置に投映できる画像投映装置およびプラネタリウムが提供されている。
【図面の簡単な説明】
【００１５】
【図１】実施の形態に係る画像投映装置の正面図である。
【図２】実施の形態に係る回折光学素子板の平面図である。
【図３】実施の形態に係る回折光学素子板の第１領域による回折画像の形成を説明する模式図である。
【図４】実施の形態に係る回折光学素子板の第２領域による回折画像の形成を説明する模式図である。
【図５】実施の形態に係る回折光学素子板により第１の回折画像を投映している状況を示す模式図である。
【図６】実施の形態に係る回折光学素子板により第２の回折画像を投映している状況を示す模式図である。
【図７】回折光学素子による投映画像の位置精度を説明する模式図である。
【図８】（比較例）透過原板による投映画像の位置精度を説明する模式図である。
【図９】画像切り替え時における回折光学素子板へのレーザー光の照射状況を示す模式図である。
【図１０】図９の状況での回折画像の投映を示す模式図である。
【図１１】（比較例）透過原板による投映画像の切り替え時の状況を示す模式図である。
【図１２】実施の形態に係る画像投映装置による投映の演出例を示す模式図である。
【図１３】図１２の演出を行うための回折光学素子板の平面図である。
【図１４】実施の形態に係る画像投映装置の制御系の構成を示すブロック図である。
【図１５】変形例に係る画像投映装置の模式図である。
【図１６】実施の形態に係る画像投映装置を利用するプラネタリウム投映装置の正面図である。
【図１７】実施の形態に係る画像投映装置を利用するプラネタリウムの斜視図である。
【図１８】回折光学素子板におけるＣＧＨ領域の配置例（一直線状）を示す平面図である。
【図１９】回折光学素子板におけるＣＧＨ領域の配置例（二次元状）を示す平面図である。
【図２０】回折光学素子板におけるＣＧＨ領域の配置例（隙間あり）を示す平面図である。
【発明を実施するための形態】
【００１６】
以下，本発明を具体化した実施の形態について，添付図面を参照しつつ詳細に説明する。本形態に係る画像投映装置１は，図１に示すように構成されている。図１の画像投映装置１は，レーザー光源２と，回折光学素子板３とを有している。レーザー光源２は，レーザー光Ｌを出力するレーザー発振部である。本形態の画像投映装置１では，レーザー光源２から出力されたレーザー光Ｌの光路上に回折光学素子板３が配置されている。そして，回折光学素子板３より先の投映空間には，レーザー光Ｌが回折光学素子板３で回折された回折レーザー光Ｄが照射されるようになっている。本形態の画像投映装置１ではさらに，回折光学素子板３が，レーザー光Ｌの光路に対して交差する面内方向に移動できるようになっている（矢印Ａ）。
【００１７】
本形態における回折光学素子板３は，図２に示すように，第１領域４と，第２領域５とを有している。第１領域４および第２領域５はいずれも，ＣＧＨ（Computer Generated Hologram） パターンが形成された回折格子である（回折格子自体については特開２０１３−０１３９１２号公報の［００２３］あるいは特開２０１３−１９０３９４号公報の［００１２］を参照されたい）。第１領域４と第２領域５とは，異なる回折画像を生成するものである。ここでは，第１領域４が大熊座の絵柄を（図３），第２領域５が大熊座の目印線群を（図４），それぞれスクリーン６に表すようにされているものとする。よって本形態の画像投映装置１では，図１中に矢印Ａで示した回折光学素子板３の移動により，スクリーン６に投映する画像を切り替えることができる。図５が，第１領域４を用いて第１の回折画像（星座絵）を投映している状況である。図６が，第２領域５を用いて第２の回折画像（目印線群）を投映している状況である。
【００１８】
なお図３〜図６におけるスクリーン６では白地に黒色で投映画像を示しているが，これは描画の便宜上のことであり，実際のスクリーンでは明暗が逆となることに注意されたい。すなわち実際のスクリーンでは，地部分が暗く，その中に明るい投映画像が現れることになる。このことは，以下「スクリーン６」が登場するすべての図において同じである。
【００１９】
このように本形態の画像投映装置１では，２通りの回折画像を切り替えて投映することができる。ここにおいて，以下に説明する２つの利点を有している。第１の利点は，回折光学素子板３の位置精度があまり要求されない，ということである。第２の利点は，２つの画像間の切り替えを，観覧者に違和感を与えずに行うことができる，ということである。
【００２０】
まず第１の利点について説明する。この利点は，像形成の原理が図７に示される回折現象であることに起因して得られるものである。すなわち，回折光学素子板３による回折レーザー光Ｄの照射方向は，元のレーザー光Ｌの照射方向に対する回折角θとして定まる。回折角θは，レーザー光Ｌの波長と回折光学素子板３の格子定数だけで決まり，回折光学素子板３のどの位置にレーザー光Ｌが入射したのかは関係ない。このように回折角θが一定であるため，投映画像は，レーザー光Ｌの回折光学素子板３への入射位置から，回折角θの方向にある程度離れた位置に投映されることとなる。したがって，レーザー光源２の配置さえ確実に固定されていれば，回折光学素子板３の停止位置の精度が悪くても，投映画像の位置には影響しないのである。レーザー光Ｌの回折光学素子板３における照射範囲が，第１領域４，第２領域５のうち目的とする一方のみに掛かり，他方に跨らない程度の位置精度があればよい。
【００２１】
もし，レーザー光源２の位置が図７中に矢印Ｂで示されるようにずれていたとすれば，そのずれ量は投映画像の位置にそのまま反映されることになる。しかしこれは，従来のレンズを使った投映機とは異なり，光学系により拡大されるものではない。つまり，レーザー光源２の位置ずれがミリレベルであれば，スクリーン６上における投映画像の位置ずれもミリレベルである。よって，レーザー光源２の通常の取り付け精度の範囲内の位置ずれであれば，投映画像の位置ずれが観覧者に感知されることはない。
【００２２】
この点が，従来型の透過原板による画像の投映の場合との違いである。図８に示すように拡散光源７と透過原板８とを用いて画像をスクリーン６に投映する場合，透過原板８の位置ずれ量Ｃが，スクリーン６上には，光学的に大きく拡大されて反映されてしまう（矢印Ｅ）。このためこの方式では，透過原板８の停止位置に非常に高い精度が求められる。これに対して本形態では上記のように，回折光学素子板３の停止位置の精度はあまり要求されない。
【００２３】
次に第２の利点について説明する。この利点も，回折現象を利用して像形成を行っていることに得られるものである。前述の図５の状況から図６の状況への切り替えの途中では，図９に示すように，第１領域４と第２領域５との両方に跨ってレーザー光Ｌが照射されるタイミングが存在する。このタイミングにおいては図１０に示すようにスクリーン６に，第１領域４による回折画像（星座絵）と，第２領域５による回折画像（目印線群）とが重なって表示されることとなる。図１０の状況におけるスクリーン６上での星座絵の画像の位置は，図５の状況における当該画像の位置と同じである。同様に目印線群の画像の位置も，図１０と図６とで同じである。その理由は，前述の「第１の利点」のところで説明した通りである。
【００２４】
このため本形態での画像の切り替え時におけるスクリーン６上の投映画像の実際の状況は，次のようになる。最初の状態が，図５に示した星座絵が投映されている状態であることとする。画像の切り替えが始まると，図５の星座絵に対し，目印線群の画像がうっすらと現れて重ね合わせられた状況となる。そして，画像の切り替えの進行（つまり回折光学素子板３の移動）とともに，目印線群の画像が次第に明るくなり，図１０に示した状態に至る。切り替えがさらに進行すると今度は星座絵の画像が次第に薄くなる。最終的に星座絵の画像が消失して図６に示した状態になると，切り替え完了である。むろん，図６の状態から図５の状態への切り替えの場合でも，星座絵と目印線群とが逆になるだけで同じである。
【００２５】
この画像切り替えの過程において，星座絵，目印線群とも，スクリーン６上での移動はなく，本来の投映位置のまま留まる。その理由は上記の通りである。このため観覧者からはスクリーン６上の画像が，星座絵と目印線群との一方から他方へ次第に遷移していくように見える。つまりこの画像切り替えは，観覧者から見て非常に自然である。また，敢えて図１０の状態で回折光学素子板３の移動を停止し，重ね像モードとしての投映を静的に行うことも可能である。なお，上記の画像切り替えの途中での星座絵や目印線群は，図５や図６の１像モード時と比べれば暗いことは否めない。元のレーザー光Ｌのエネルギーが両画像に分散されるからである。そこで，画像切り替えの途中ではレーザー光源２の光量を増すことで画像の明るさを保つようにしてもよい。
【００２６】
このように自然な画像切り替えができるという点も，従来型の透過原板による画像の投映の場合と違うところである。図１１に示すように，拡散光源７および透過原板１１による投映で画像切り替えを行うと，スクリーン６には，２つの画像の一部分ずつが中途半端に配置された投映画像が現れてしまう。図１１の状況は，透過原板１１のうちの透過原板８の部分による投映から透過原板９の部分による投映への移行途中の状況である。透過原板による投映画像の切り替えの際には，先の画像が一方へ退出し，替わりに他方から次の画像が進入してくる，という形になるので，図１１のような投映状況が現れるのである。もちろんその間，先の画像も次の画像もスクリーン６上で移動する。この図１１に示したような投映状況は，観覧者からは不自然に見えるものである。
【００２７】
なお図１１に示したものでは，図１０に示したような重ね画像の投映が一応は可能である。ただしそれは，透過原板１１中に，重ね画像そのものを投映するための領域である透過原板９が用意されているからである。透過原板８の画像と透過原板１０の画像とを重ねて投映できるわけではない。これに対して本形態では上記のように，自然な画像切り替えが可能である。また，回折光学素子板３中には，図１１における透過原板９に相当する領域を設ける必要はない。
【００２８】
上記のような本形態の画像投映装置１の特性を利用して，図１２に示すような演出を行うことができる。図１２は，スクリーン６上に投映される画像が，（ａ）から順に（ｆ）まで変化していく様子を示している。図１２の演出を行うためには，図１３の回折光学素子板１２を使用する。図１３の回折光学素子板１２は，図２の回折光学素子板３に第３領域１３を追加したものである。第３領域１３は，図１３の（ａ）に示すように，大熊座の目印線群のうち北斗七星の部分に相当するものだけを投映するＣＧＨパターンが形成された回折格子である。
【００２９】
図１２の演出ではまず，（ａ）に示すように，回折光学素子板１２の第３領域１３を用いて，北斗七星の目印線群をスクリーン６に投映する。この状態から回折光学素子板１２を移動させて，第２領域５による投映が行われる状態にしたときのスクリーン６が（ｂ）に示されている。このときの投映画像は図６に示したものと同じである。ここで，観覧者の目には，（ａ）の状態から（ｂ）の状態への変化の際には，北斗七星の目印線群はそのままの状態で，大熊座の目印線群のうち北斗七星以外の部分に相当するものが次第に浮き出てくるように見える。
【００３０】
（ｂ）の状態から回折光学素子板１２をさらに移動させていくと，（ｃ），（ｄ），（ｅ），（ｆ）と投映画像が変化していく。すなわち前述のようにうっすらと星座絵が現れる（ｃ）。そして，星座絵が次第に明るくなる一方で目印線群（北斗七星の部分を含む）は次第に暗くなっていく（（ｄ），（ｅ））。目印線群が完全に消失した状態が（ｆ）であり，このとき回折光学素子板１２では第１領域４のみにレーザー光Ｌが照射されている。この，（ｃ）→（ｅ）の過程での星座絵と目印線群との明るさの変化は，第２領域５および第１領域４における，実際にレーザー光Ｌの照射を受けている部分の面積比が変化していくことによる。
【００３１】
ここで，本形態の画像投映装置１の制御系の構成を説明する。画像投映装置１の制御系は，図１４に示すように構成されている。図１４の制御系は，制御部１４と駆動部１５とにより構成されている。制御部１４は，レーザー光源２の発光制御や回折光学素子板３，１２の移動制御を行う部分である。駆動部１５は，制御部１４の制御に従って回折光学素子板３，１２を移動させるメカ部分であり，公知のモーターやギア等の組み合わせにより構成されている。
【００３２】
本形態における制御部１４の制御機能のうち回折光学素子板３，１２の移動制御とは，要するに前述の，星座絵や目印線群といった投映画像の切り替えのために回折光学素子板３，１２を移動させる制御のことである。その中には，前述の１像モード（図５，図６，図１２の（ａ），（ｂ），（ｆ））や，重ね像モード（図１０，図１２の（ｃ）〜（ｅ））が含まれる。また，レーザー光源２の発光制御には，前述の投映画像切り替え時の光量増量制御が含まれる。むろん，重ね像モードの状態で回折光学素子板３，１２を停止させる場合でも，光量を増量した状態とすることができる。また，画像切り替えの開始から完了まで，増量した光量を一定としてもよいし，山なり状に光量が変化するようにしてもよい。
【００３３】
本形態の画像投映装置１の変形例として，図１５に示すものを挙げることができる。この変形例は，回折光学素子板３を移動させる代わりに，レーザー光源の出射部を複数個にしたものである。すなわち図１５の構成例では，３つの出射部１６〜１８を有するレーザー光源１９を用いている。出射部１６は，回折光学素子板３の第１領域４により１像モードの投映を行うための出射部である。出射部１７は，回折光学素子板３の第１領域４および第２領域５により重ね像モードの投映を行うための出射部である。すなわち出射部１７は，出射されるレーザー光が，第１領域４および第２領域５の両方に跨って照射される位置に配置されているものである。出射部１８は，回折光学素子板３の第２領域５により１像モードの投映を行うための出射部である。
【００３４】
この変形例の場合の投映画像の切り替え制御は，出射部１６〜１８のうち実際に発光させるものを切り替えることによりなされる。ここで，出射部１６〜１８のうち２つ以上を同時に発光させることもできる。また，出射部１６〜１８の発光量を個別に漸増させていったり漸減させていったりすることもできる。これにより，図１２の（ｂ）〜（ｆ）に示したような演出を行うこともできる。また，出射部１６〜１８のうち出射部１７は，必須のものではない。出射部１７を発光させなくても，出射部１６，１８を同時に発光させることで，重ね像モードを実現できるからである。
【００３５】
ここで厳密に考えれば，図１５の構成例で回折光学素子板３が図１０中のものと全く同じだとすると，スクリーン６上での星座絵の位置と目印線群の位置とが少しずれることになる。ただしそのずれ量は，レーザー光源１９における出射部１６〜１８の間隔と同じで，拡大されるものではない。したがって，スクリーン６上で観覧者に気づかれるほどのずれ量ではない。なぜなら投映画像は，例えばプラネタリウムの場合，１０ｍほど離れた位置に数ｍ四方程度のサイズで投映されることとなる。一方，出射部１６〜１８の間隔は通常，２〜４ｍｍ程度でしかないため，数ｍ四方サイズの投映画像が２〜４ｍｍ程度ずれることとなる。これは誤差範囲でしかないといえるからである。出射部１６〜１８の間隔はもちろん，回折光学素子板３における第１領域４や第２領域５のサイズに合わせられている。レーザー光Ｌのビーム系が通常１〜３ｍｍ程度だからである。
【００３６】
本形態の画像投映装置は例えば，図１６に示すプラネタリウム投映装置４７における副投映部４８として有益である。プラネタリウム投映装置４７は副投映部４８の他に，通常の主投映部４９を有している。副投映部４８は，主投映部４９の間に配置されている。主投映部４９から投映される主画像は主として，星野（せいや）画像である。副投映部４８から投映される副画像は，前述の回折光学素子板３，１２による回折像として形状が規定された画像である。このようなプラネタリウム投映装置４７により，主画像と副画像とを重ねてドームスクリーンに投映することができる。例えば，主投映部４９から投映される星像に対し，副投映部４８から投映される星座絵や目印線群，あるいはそれらの両方を重ね合わせることができる。
【００３７】
本形態の画像投映装置はあるいは，図１７に示すようなプラネタリウム５０における副画像の投映装置５１としても有益である。図１７には，投映装置５１の他に，主画像の投映装置５２，ドームスクリーン５３，操作台５４を示している。投映装置５２は，前述の副投映部４８を有しない通常のプラネタリウム投映装置である。その代わりに，投映装置５２とは別に投映装置５１を設けたのが図１７の構成例である。このような構成でも，投映装置５２から投映される主画像と，投映装置５１から投映される副画像とがドームスクリーン５３に重ねて投映されることとなる。
【００３８】
以上詳細に説明したように本実施の形態によれば，レーザー光Ｌの光路上に回折光学素子板３，１２を配置するとともに，回折光学素子板３，１２に少なくとも第１領域４と第２領域５とを設けている。そして，回折光学素子板３，１２の面内方向の移動により，もしくは複数個設けられた出射部１６〜１８の使い分けにより，１像モードでの投映や重ね像モードでの投映を行うことができるようにしている。これにより，２以上の別々の画像を切り替えて投映することができるばかりでなく，画像の切り替えの途中においても個々の画像を本来の投映位置に投映できる画像投映装置１，４８，５１およびプラネタリウム５０が実現されている。
【００３９】
なお，本実施の形態は単なる例示にすぎず，本発明を何ら限定するものではない。したがって本発明は当然に，その要旨を逸脱しない範囲内で種々の改良，変形が可能である。例えば，投映する画像の切り替えに際して，回折光学素子板３，１２の面内方向の移動と，複数の出射部１６〜１８の使い分けとを併用することとしてもよい。
【００４０】
また，回折光学素子板３，１２におけるＣＧＨ領域の数は，４以上であってもよい。４以上のＣＧＨ領域を持つ回折光学素子板におけるＣＧＨ領域の配置は，図１８に例示されるような一直線状でもよいし，図１９に例示されるような２次元状でもよい。図１９のような二次元配置の場合，最大４通りの回折画像の重ね合わせ同時投映が可能である。また，各ＣＧＨ領域の間には図２０に例示されるように，隙間部分２０が存在していてもよい。ただし隙間部分２０は，レーザー光Ｌに対して不透明な材質であることが望ましい。また，重ね像モードでの投映に支障とならないため，隙間部分２０の幅はレーザー光Ｌのビーム径の３分の１以下であることが望ましい。図１９の二次元配置で隙間部分２０を設けた場合には，隙間部分２０の交差箇所の対角線の長さがレーザー光Ｌのビーム径の３分の１以下であることが望ましい。
【符号の説明】
【００４１】
１          画像投映装置
２，１９    レーザー光源
３，１２    回折光学素子板
４          第１領域
５          第２領域
６，５３    スクリーン
１３        第３領域
１４        制御部
１６〜１８  出射部
４７        プラネタリウム投映装置
４８        副投映部
５０        プラネタリウム
５１        投映装置
【図１】
0006704756.tif 000002
【図２】
0006704756.tif 000003
【図３】
0006704756.tif 000004
【図４】
0006704756.tif 000005
【図５】
0006704756.tif 000006
【図６】
0006704756.tif 000007
【図７】
0006704756.tif 000008
【図８】
0006704756.tif 000009
【図９】
0006704756.tif 000010
【図１０】
0006704756.tif 000011
【図１１】
0006704756.tif 000012
【図１２】
0006704756.tif 000013
【図１３】
0006704756.tif 000014
【図１４】
0006704756.tif 000015
【図１５】
0006704756.tif 000016
【図１６】
0006704756.tif 000017
【図１７】
0006704756.tif 000018
【図１８】
0006704756.tif 000019
【図１９】
0006704756.tif 000020
【図２０】
0006704756.tif 000021